(57)【特許請求の範囲】
【請求項１】
ドア枠(2)に設けている鍵受け部(32)に向かって突出してドア(1)をロックするデッドボルト(31)と、ドア枠(2)に固定している連結具(6)に脱着自在に連結されるドアガード(5)を有し、
さらにドア(1)を閉めた状態で、デッドボルト(31)を目隠しするカバープレート部(15)を屋外側の表面に設けている玄関ドアであって、
前記ドア(1)の屋外側の表面であって、ドア(1)の戸先面(1X)よりもドア(1)の中央に位置する部分に、屋外側から屋内側に切断されて、ドアガード(5)と連結具(6)の連結状態を解除し、かつ、前記デッドボルト(31)をドアの内部で切断する切断位置を示す目印(8)を設けてなることを特徴とする玄関ドア。
【請求項２】
前記目印(8)が、ドアガード(5)と連結具(6)との連結状態を解除する位置から下方に延びるように設けてなる請求項１に記載される玄関ドア。
【請求項３】
前記目印(8)が、連結具(6)の切断位置に設けられてなる請求項１又は２に記載される玄関ドア。
【請求項４】
前記ドアガード(5)が、傾動自在にドア(1)の屋内側に固定してなる請求項１ないし３のいずれかに記載される玄関ドア。
【請求項５】
屋外側と屋内側に位置する表面板と、屋外側と屋内側の表面板の間に固定してなる縦枠(11)と、この縦枠(11)の内側にあって、前記デッドボルト(31)を設けてなる鍵機構(3)を固定してなる固定プレート(70)とを有し、この固定プレート(70)と縦枠(11)との間であって前記目印(8)の内側に、切断具(90)を案内するガイド溝(73)を設けており、このガイド溝(73)の表面に屋外側の表面板(13)を固定してなる請求項１ないし４のいずれかに記載される玄関ドア。
【発明の詳細な説明】
【技術分野】
【０００１】
本発明は、火災などの非常時に、ドアのデッドボルトを外部から切断してドアを開いて侵入できる玄関ドアに関し、とくに、ドアを閉めた状態でデッドボルトを外部から目隠しするカバープレート部を設けている玄関ドアに関する。
【背景技術】
【０００２】
玄関ドアは、防犯のために、デッドボルトの位置を目隠しするカバープレート部を設けている。この玄関ドアは、火災などの非常時には、ドアをバールなどでこじ開けて侵入するが、最近は、デッドボルトを切断してからドアをこじ開け、外部から侵入する方法がとられることが多い。デッドボルトは硬い金属製であるが、火災などの非常時には、消防士がエンジンカッターなどの切断具で切断している。デッドボルトは、ドアとドア枠との隙間にエンジンカッターの刃物を挿入して切断される。カバープレート部のある玄関ドアは、ドアとドア枠との隙間をカバープレート部で目隠ししているので、デッドボルトの切断位置を外部から明確に特定できない。この弊害を防止するために、デッドボルトの切断位置を表示する目印を設けている玄関ドアが開発されている。（特許文献１参照）
【先行技術文献】
【特許文献】
【０００３】
【特許文献１】特開２００７−１８６９８５号公報
【発明の概要】
【発明が解決しようとする課題】
【０００４】
デッドボルトの切断位置を示す目印を設けている玄関ドアは、ドアとドア枠の隙間を目隠ししているカバープレート部の表面に、隙間の位置を示す目印部を設けている。この玄関ドアは、エンジンカッターなどを使用して、目印に沿ってカバープレート部を切断して、デッドボルトを隙間から切断して、ドアを開く状態にできる。特許文献１の公報に記載される玄関ドアは、カバープレート部の表面に、上下に延びる溝を設けて目印としている。カバープレート部に溝の目印を設けるドアは、溝に沿って切断できるので、溝を刃物のガイドとして、切断位置に沿ってずれないように確実に切断できる特徴がある。しかしながら、この構造は、デッドボルトを目隠しするために設けているカバープレート部の曲げ強度を低下させて、この部分が変形しやすくなる欠点がある。カバープレート部は、保安の目的でデッドボルトを目隠しするので、カバープレート部の強度低下は防犯上決して好ましいことではない。
【０００５】
さらに、この構造の玄関ドアは、目印に沿ってカバープレート部を切断しても、全てのドアを開くことができない。それは、玄関ドアには、防犯のために、ほとんど例外なくドアガードを設けているからである。ドアガードは、ドアを締めてデッドボルトをロックする状態で、ドア枠に連結される。ドアガードは脱着できる構造でドア枠の連結具に連結され、ドアを開くときには、ドア枠の連結具から外し、ドアをロックするときには、ドア枠の連結具に連結される。このため、デッドボルトをドアとドア枠の隙間で切断しても、ドアガードがドア枠に連結されているとドアを開くことができない。ドアガードは、ドアを半開きにした状態では連結具から外すことができない構造としている。デッドボルトを切断してドアを完全に開くには、ドアを半開きにする状態でドアガードを切断する必要がある。しかしながら、この状態で、ドアガードをエンジンカッターなどで屋外から切断するのは極めて難しく、特別な切断機を使用する必要がある。それは、ドアを半開きする状態では、ドアの開かれた隙間が狭く、この狭い隙間からエンジンカッターなどの刃物を奥まで挿入して、ドアの屋内側に設けているドアガードを切断するからである。エンジンカッターの刃物は、突出させて切断できる量に制限があり、ドアの室内にあるドアガードに届かないと切断できない。
【０００６】
このため、従来の玄関ドアは、目印に沿ってデッドボルトを切断しても、ドアガードでロックされているドアを開くことができない欠点があった。
また、従来の玄関ドアは、目印に沿ってドアとドア枠の隙間に刃物を挿入して、カバープレート部とデッドボルトのみを切断することが難しく、ドア枠の戸当たり部を一緒に切断してしまう欠点がある。このため、カバープレート部とデッドボルトとを切断してドアを開いた後は、ドアとドア枠の両方を交換する補修を必要とする。ドア枠は建物に固定しているので、ドアのように簡単には交換できない。このため、デッドボルトを切断してドアを開いた後の補修に極めて手間がかかる欠点もあった。
【０００７】
本発明は、以上の欠点を解決することを目的に開発されたものである。本発明の重要な目的は、非常時に、屋外側の目印に沿ってドアを切断することで、デッドボルトとドアガードの両方でロックしているドアを簡単かつ容易に、しかも確実に開くことができる玄関ドアを提供することにある。
また、本発明の他の大切な目的は、デッドボルトを切断して開いたドアの補修を簡単にすることも可能である玄関ドアを提供することにある。
【課題を解決するための手段及び発明の効果】
【０００８】
本発明の玄関ドアは、ドア枠２に設けている鍵受け部３２に向かって突出してドア１をロックするデッドボルト３１と、ドア枠２に固定している連結具６に脱着自在に連結されるドアガード５を有し、ドア１を閉めた状態で、デッドボルト３１を目隠しするカバープレート部１５を屋外側の表面に設けている。さらに、玄関ドアは、ドア１の屋外側の表面であって、戸先面１Ｘよりもドア１の中央に位置する部分に、屋外側から屋内側に切断されて、ドアガード５と連結具６の連結状態を解除し、かつ、デッドボルト３１をドアの内部で切断する切断位置を示す目印８を設けている。
【０００９】
以上の玄関ドアは、非常時に、屋外側の表面に設けている目印に沿ってドアを切断することで、デッドボルトとドアガードの両方でロックしているドアを簡単かつ容易に、しかも確実に開くことができる特徴がある。それは、この目印に沿ってドアを切断して、デッドボルトのみでなく、ドアガードまたは連結具も切断位置で切断して、ドアのロック状態を解除できるからである。
【００１０】
さらに、以上の玄関ドアは、デッドボルトを切断して開いたドアの補修を簡単にできる特徴も実現する。それは、従来のように、ドアとドア枠の隙間に沿って切断するのではなく、隙間よりも内側に位置するドアの一部を切断して、デッドボルトとドアガードの両方のロック状態を解除するからである。
【００１１】
本発明の玄関ドアは、目印８を、ドアガード５と連結具６との連結状態を解除する位置から下方に延びるように設けることができる。
以上の玄関ドアは、目印に沿って下方に切断することで、ドアガードとデッドボルトの両方を切断位置で切断して、ロック状態を解除できる。
【００１２】
本発明の玄関ドアは、目印８を、連結具６の切断位置に設けることができる。
以上のドアは、連結具を切断してドアガードの連結状態を解除するので、ドアガードと連結具の連結状態を簡単かつ確実に解除できる。
【００１３】
本発明の玄関ドアは、ドアガード５を、傾動自在にドア１の屋内側に固定することができる。
以上の玄関ドアは、傾動自在にドアに連結しているドアガードでもって、連結具との連結状態を強固にでき、しかも切断位置を切断して連結状態を解除できる。
【００１４】
本発明の玄関ドアは、屋外側と屋内側に位置する表面板と、屋外側と屋内側の表面板の間に固定してなる縦枠１１と、この縦枠１１の内側にあって、デッドボルト３１を設けてなる鍵機構３を固定してなる固定プレート７０とを有し、この固定プレート７０と縦枠１１との間であって、目印８の内側に、切断具９０を案内するガイド溝７３を設けて、このガイド溝７３の表面に屋外側の表面板１３を固定することができる。
【００１５】
以上の玄関ドアは、表面板の目印の内側にガイド溝を設けているので、表面板を切断する状態で、切断具の刃物をガイド溝に案内して、確実に安定して目印に沿って切断できる特徴がある。また、ガイド溝をドアに設けている縦枠と固定プレートを利用して設けるので、専用のパーツを追加することなく、切断具でもって確実に切断位置を切断できる特徴がある。
【図面の簡単な説明】
【００１６】
【図１】本発明の一実施例にかかる玄関ドアを屋外側から見た正面図である
【図２】図１に示す玄関ドアを屋内側から見た正面図である。
【図３】図１に示す玄関ドアの両側部を示す水平断面図である。
【図４】図１に示す玄関ドアの上端部と下端部を示す垂直断面図である。
【図５】図１に示す玄関ドアの中央部を示す垂直断面図である。
【図６】図２に示す玄関ドアのドアガードと連結具と鍵機構を示す拡大正面図である。
【図７】縦枠と固定プレートと鍵機構の構造を示す拡大正面図である。
【図８】縦枠と固定プレートと鍵機構の連結を示す分解斜視図である。
【発明を実施するための形態】
【００１７】
以下、本発明の実施例を図面に基づいて説明する。ただし、以下に示す実施例は、本発明の技術思想を具体化するための玄関ドアを例示するものであって、本発明は玄関ドアを以下のものに特定しない。さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１８】
図１ないし図５に示す玄関ドアは、建物に固定されるドア枠２と、このドア枠２に蝶番９を介して開閉自在に連結しているドア１とを備えている。ドア枠２は、鍵受け部３２を有し、ドア１は、この鍵受け部３２に向かって突出してドア１をロックするデッドボルト３１を備える。さらに、ドア枠２には連結具６を固定して、この連結具６に脱着自在に連結されるドアガード５をドア１に連結している。さらに、ドア１は、閉めた状態で、デッドボルト３１を目隠しするカバープレート部１５を屋外側の表面に設けている。図のドア１は、一方の側縁を蝶番９を介してドア枠２に連結しており、これと反対側の側縁に、デッドボルト３１とドアガード５とカバープレート部１５とを設けている。
【００１９】
ドア１は、図３と図４に示すように、縦枠１１と横枠１２を四角形に連結しているフレーム１０と、このフレーム１０の両面に固定している屋外側の表面板１３と屋内側の表面板１４とを備える。
【００２０】
フレーム１０は、ドア１の両側に位置する縦枠１１の上下に、ドア１の上下に位置する横枠１２を連結して四角形のフレーム１０としている。縦枠１１と横枠１２は、例えば、厚さを約１．６ｍｍとする鋼板で製作される。ただし、縦枠と横枠は、厚さを１〜２ｍｍとする鋼板で製作することもできる。
【００２１】
縦枠１１は、ドア１の戸先側に内蔵している断面形状を溝形とする戸先側の縦枠１１Ａと、ドアの戸尻側に内蔵している断面形状を溝形とする戸尻側の縦枠１１Ｂとからなる。フレーム１０は、戸先側の縦枠１１Ａと戸尻側の縦枠１１Ｂの上下に、水平姿勢の横枠１２を連結して四角形の枠体としている。
【００２２】
戸先側の縦枠１１Ａは、底板１１Ｘの両側に側壁１１Ｙを設けて溝形とするチャンネル材である。戸先側の縦枠１１Ａは、溝形の開口部１１Ｚをドアの外側に向ける姿勢として屋外側の表面板１３と屋内側の表面板１４の間に配設している。図３に示す戸先側の縦枠１１Ａは、一方の側壁１１Ｙａを他方の側壁１１Ｙｂから突出するように幅を広くして、突出部１１Ｔをカバープレート部１５としている。図３において、戸先側の縦枠１１Ａは、上側の側壁１１Ｙａの幅を下側の側壁１１Ｙｂよりも広くして、突出部１１Ｔをカバープレート部１５としている。玄関ドアは、このカバープレート部１５によって、ドア１の戸先面１Ｘとドア枠２の内側面２４との間にできる隙間を目隠ししている。
【００２３】
戸尻側の縦枠１１Ｂは、底板１１Ｘの両側に側壁１１Ｙを設けて溝形としているチャンネル材である。この戸尻側の縦枠１１Ｂは、溝形の開口部１１Ｚをドアの外側に向ける姿勢として、屋外側の表面板１３と屋内側の表面板１４との間に配設している。図３のドアは、戸尻側の縦枠１１Ｂを溝形のチャンネル材とするが、戸尻側の縦枠には、四角筒状の金属ロッドも使用できる。
【００２４】
横枠１２は、縦枠１１の上端に固定される上枠１２Ａと、縦枠１１の下端に固定される下枠１２Ｂとからなる。上枠１２Ａと下枠１２Ｂは、図４の断面図に示すように、金属板を溝形とするチャンネル材である。チャンネル材の上枠１２Ａは、溝の開口部を上向きとし、下枠１２Ｂは溝の開口部を下向きとして、縦枠１１の上下の端部に固定している。ただ、チャンネル材である横枠は、上枠の溝の開口部を下向きとし、下枠の溝の開口部を上向きとして縦枠の上下に固定することもできる。また、横枠には、四角筒状の金属ロッドも使用できる。
【００２５】
屋外側の表面板１３と屋内側の表面板１４は金属板である。表面板の金属板は、たとえば、厚さ０．４ｍｍ〜０．８ｍｍとする鉄又は鉄合金からなる金属板である。金属板は、表面をプリントし、あるいは化粧シートを接着して綺麗に表面処理している。屋外側の表面板１３と屋内側の表面板１４は、ドアの外側表面の全面を覆う四角形で、両側縁を縦枠１１に連結すると共に、上下端を横枠１２に連結している。
【００２６】
屋外側の表面板１３は、戸先側の側縁を戸先側の縦枠１１Ａの側壁１１Ｙａに沿って折り返すように折曲して、カバープレート部１５となる突出部１１Ｔを被覆している。また、屋外側の表面板１３は、戸尻側の側縁を戸尻側の縦枠１１Ｂの側壁１１Ｙに沿って折り返すように折曲して、側壁１１Ｙを被覆している。屋外側の表面板１３は、両側縁を縦枠１１の側壁１１Ｙに沿って折曲しており、この折曲部を介して縦枠１１に連結している。
【００２７】
屋内側の表面板１４は、戸先側の側縁を戸先側の縦枠１１Ａの側壁１１Ｙに沿って折り返すように折曲して、側壁１１Ｙを被覆している。また、屋内側の表面板１４は、戸尻側の側縁を戸尻側の縦枠１１Ｂの側壁１１Ｙに沿って折り返すように折曲して、側壁１１Ｙを被覆している。屋内側の表面板１４は、両側縁を縦枠１１の側壁１１Ｙに沿って折曲しており、この折曲部を介して縦枠１１に連結している。
【００２８】
さらに、屋外側の表面板１３と屋内側の表面板１４は、図４の断面図に示すように、上下の外周縁を、チャンネル材である横枠１２の側壁の表面に沿うように内側に折曲して側壁を被覆している。屋外側の表面板１３と屋内側の表面板１４は、上下の両端縁を横枠１２の側壁に沿って折曲しており、この折曲部を介して横枠１２に連結している。ただ、屋外側の表面板と屋内側の表面板の上下の外周縁は、横枠に沿って内側に折曲して互いの折曲部を積層し、この積層部を結合して固定することもできる。屋外側の表面板と屋内側の表面板の積層部は、スポット溶接し、あるいはリベットで連結し、あるいはまた接着して結合することができる。
【００２９】
さらに、図３と図４に示すドア１は、屋外側の表面板１３と屋内側の表面板１４の外周縁が連結された戸先側の縦枠１１Ａの開口部１１Ｚに、金属板をコ字状に折曲してなる側面プレート１６を嵌入している。さらに、戸尻側の縦枠１１Ｂの開口部１１Ｚと横枠１２の開口部には、金属板をコ字状に折曲してなるエッジ１７を嵌入している。このドア１は、フレーム１０の外周面を側面プレート１６とエッジ１７で被覆して外観良くできる。
【００３０】
さらに、ドア１は、図２、図３、及び図５に示すように、戸先側の屋内側にドアガード５を固定している。このドアガード５は、ドア枠２に固定された連結具６に連結されて、後述する鍵機構３とラッチ機構４が解除された状態で、ドア１が外部から開かれるのを制限する。ドアガード５は、ドア１に傾動自在に固定された金具で、ドア枠２に固定された連結具６を連結状態でスライドさせて、ドア１の開閉を制限する。ドアガード５は、水平面内で傾動できるように台座５２に連結しており、この台座５２を止ネジ５４を介してドア１の屋内側に固定している。ドアガード５は、ドア１の表面と平行な姿勢から垂直な姿勢に傾動されて、ドア枠２に固定された連結具６との連結位置に配置される。図２と図５のドア１は、屋内側であって取っ手７の上方にドアガード５を水平な姿勢で配置している。
【００３１】
図５と図６に示すドアガード５は、連結具６を抜けないようにスライドさせるスリット５０を有しており、連結具６との連結状態において、このスリット５０内で連結具６をスライドさせて、所定の範内囲でドア１を開閉できるようにしている。図のドアガード５は、金属ロッドをＵ字状に湾曲して中央部にスリット５０を設けており、ロッドの両端を回転軸５３を介して、傾動自在に台座５２に連結している。さらに、このドアガード５と対向するドア枠２の内周面２８には、ドアガード５を連結する連結具６を固定している。図に示す連結具６は、台座６２から突出する軸部６０の先端に頭部６１を設けた形状として、台座６２をドア枠２に固定している。この連結具６は、頭部６１をスリット５０に通過させる状態で、軸部６０をスリット５０内でスライドさせて、連結具６を抜けないようにドアガード５に連結する構造としている。
【００３２】
ドアガード５のスリット５０は、連結具６の軸部６０を通過させるが、先端の頭部６１を通過させない内幅としており、連結具６を抜けないようにスリット５０の内側に沿ってスライドできるようにしている。スリット５０内で連結具６をスライドさせるドアガード５は、連結具６をスリット５０の先端に当接させてドア１の開閉を阻止する構造としている。さらに、ドアガード５は、スリット５０の後端の内幅を連結具６の頭部６１を通過できる幅として幅広部５１を設けている。このドアガード５は、図３の実線と図６に示すように、ドア１の表面と平行な姿勢として、ドア１を閉位置とする状態で、この幅広部５１に連結具６の頭部６１が案内される。さらに、この状態で、図３の鎖線と図５に示すように、ドアガード５がドア１の表面と垂直な姿勢に傾動されると、スリット５０の延長方向がドア１の開閉方向と一致する姿勢に配置されて連結状態となる。この連結状態において、ドア１が開閉されると、連結具６の軸部６０がドアガード５のスリット５０に沿って移動して、スリット５０の長さの範囲内でドア１が開閉される。
【００３３】
このドアガード５は、通常は、図３の実線と図６に示すようにドア１の表面と平行な姿勢とするが、防犯目的でドア１をロックする状態では、図３の鎖線と図５に示すように、ドア１の表面と垂直内な姿勢として連結具６の軸部６０をスリット５０に案内できる連結状態とする。この状態において、ドア１の開閉はドアガード５と連結具６により制限される。このため、非常時等において、外部からドア１を開くためには、ドア１のデッドボルト３１を切断するだけでなく、ドアガード５と連結具６の連結状態を解除する必要がある。ドアガード５と連結具６の連結状態は、連結具６を切断して解除され、あるいは、ドアガード５を切断して解除され、あるいはまた、ドアガード５がドア１から分離されて解除される。したがって、ドア１を外部から切断する状態においては、切断具９０で連結具６を切断し、あるいはドアガード５を切断し、あるいはまた、ドアガード５の台座５２や回転軸５３を切断して破損や破壊することでドアガード５をドア１から分離させて、ドアガード５と連結具６の連結状態を解除する。
【００３４】
ただ、ドアガードと連結具は、以上の構造の特定しない。ドアガードと連結具は、互いに連結状態でドアの開閉方向に所定の範囲内でスライドできる他の全ての構造とすることができる。例えば、ドアガードは、先端に頭部を有するロッドとし、このドアガードを連結する連結具は、ドアガードのロッドを通過させるが、頭部を通過させない凹部や溝を有する形状とすることもできる。
【００３５】
さらに、ドア１は、屋外側の表面に、屋外側から屋内側に向かって切断して、ドアガード５と連結具６の連結状態を解除し、かつ、デッドボルト３１の切断位置を示す目印８を設けている。本発明の玄関ドアは、従来の玄関ドアのようにドアとドア枠の隙間に沿って切断して、デッドボルトを切断するのではない。切断位置は、ドアとドア枠との隙間になく、ドアの表面にあって、ドアを表面から内側に向かって切断して、ドアガードのロック状態を解除できる位置としている。ドアとドア枠との隙間から切断して、ドアガードのロック状態を解除できないからである。切断位置は、表面板に設けられるが、取っ手の側縁を切断位置とすることもできる。
【００３６】
図１に示すドアは、取っ手７の戸先側に位置して、上下に延びる直線状の目印８を切断位置としてドア１の表面に設けている。このドア１は、屋外側の表面に設けた目印８に沿って切断具９０で切断することで、ドアガード５と連結具６の連結状態を解除し、また、デッドボルト３１をドア１の内部で切断してドア１のロック状態を解除する。したがって、切断位置を示す目印８は、ドアガード５と連結具６の連結状態を解除できると共に、デッドボルト３１を切断できる位置に設けている。
【００３７】
図１、図２、及び図６に示すドア１は、切断位置を示す目印８を、連結具６の切断位置として、ここからドア１を表面から切断することで、連結具６を切断して、ドアガード５の連結状態を解除する。すなわち、このドア１は、図３及び図５の鎖線で示すように、目印８において屋外側から屋内側に切断されて、ドア枠２に固定された連結具６が頭部６１よりも付け根部で切断される。このように、連結具６を切断する位置に目印８を設ける構造は、切断具９０でドア１を切断する時に、ドア枠２を損傷させることなく、ドアガード５と連結具６の連結状態を確実に解除できる。したがって、ドアの補修を簡単にできる特徴がある。ただ、切断位置を示す目印は、ドアを屋外側から屋内側に向かって切断する状態で、ドアガードと連結具との連結状態を解除できる他の位置とすることもできる。前述のように、ドアガードと連結具の連結状態は、ドアガードを切断し、あるいはドアガードとドアとの連結部を切断したり破損することによっても解除できる。したがって、切断位置を示す目印は、ドアガードと連結具との連結状態を解除できる他の位置としてもよい。
【００３８】
さらに、図１と図２に示すドア１は、切断位置を示す目印８を、ドアガード５と連結具６との連結状態を解除する位置、図においては、連結具６を切断する位置から下方に延びるように設けている。図のドア１は、デッドボルト３１よりも上方に位置してドアガード５を配置している。したがって、このドア１は、ドアガード５と連結具６との連結状態を解除する位置から下方に延びる目印８に沿って切断具９０を移動（図５の鎖線の矢印参照）させることで、デッドボルト３１をドア１の内部で切断して、能率良くドアのロック状態を解除できる。ただ、上下に延びる目印は、必ずしもドアガードと連結具との連結状態を解除する位置から下方のデッドボルトまで延長して、すなわち、切断する長さ全体にわたって設ける必要はなく、ドアガードと連結具との連結状態を解除する位置にのみ設けることも、ドアガードと連結具との連結状態を解除する位置から切断する長さ全体の一部分に対向して設けることもできる。このドアは、この目印において切断具で切断してドアガードと連結具との連結状態を解除し、その後は、その位置からほぼ真下に向かって切断具を移動させてデッドボルトを切断する。
【００３９】
図３に示すドア１は、目印８を溝８Ａとしている。このドア１は、屋外側の表面板１３の表面に上下に延びる溝８Ａを設けて、切断位置を示す目印８としている。溝８Ａである目印８は、この溝８Ａに切断具９０の刃先を位置決めしながら押し当てて、正確な位置で簡単に切断できる特徴がある。切断具９０であるエンジンカッターの刃には、一般に、直径が約３０ｃｍで、厚さが３．５ｍｍ〜４．０ｍｍのものが使用される。したがって、溝８Ａである目印８は、溝幅を４ｍｍ〜８ｍｍ、好ましくは５ｍｍ〜７ｍｍとし、深さを２ｍｍ〜５ｍｍ、好ましくは３ｍｍ〜４ｍｍとして、切断具９０の刃先を溝内に挿入して確実に位置決めできる。また、この溝８Ａである目印８は、溝幅を広く、深さを深くすることで、切断位置となる目印８の存在を明確に表示できる特徴もある。ただ、溝である目印は、必ずしも切断具の刃先を挿入できる幅と深さにする必要はなく、切断具の刃先を押し当てる状態で位置決めできればよいので、前述の溝幅と深さよりも小さくすることもできる。図３に示す溝８Ａは、断面形状を円弧状としている。この溝８Ａは、例えば、断面形状を半径２．５ｍｍ〜３．５ｍｍとする半円形として、溝幅を５ｍｍ〜７ｍｍ、深さを２．５ｍｍ〜３．５ｍｍとすることができる。また、断面形状を円弧状とすることで、刃先をスムーズに案内できる特徴もある。ただ、溝である目印は、その断面形状をＶ字状やコ字状、あるいは多角形状とすることもできる。
【００４０】
さらに、ドアの表面に設ける目印は、表示ラインとすることもできる。表示ラインは、ドアの表面にプリントして簡単に設けることができる。また、表示ラインは、塗料を塗布して表示することもできる。さらに、目印は、シールやモール等の別部材として、ドアの表面に貼着や接着して設けることもできる。さらに、ドアの表面に設ける目印は、表面の摩擦抵抗を大きくして、切断具の刃先を位置ずれしないように押し当てることもできる。
【００４１】
さらに、切断位置を示す目印は、ドアのデザインを表すライン等を併用することもできる。このドアは、たとえば、ドアの戸先側の上下にわたって、あるいは、ドア全体にわたって特定のデザインとなる溝や表示ライン等を設けて切断位置の目印に併用することができる。このドアは、デザインを構成する溝や表示ラインの一部分であって、ドアガードと連結具の連結位置とデッドボルトの位置とを結ぶ部分を切断位置を示す目印として切断具で切断される。ここで、デッドボルトの位置とドアガードの位置は、ドアの屋外側の表面に設けた鍵穴３３の位置から推測することができる。
【００４２】
さらに、図１、図２、図５、及び図６の玄関ドアは、開閉されるドア１を閉位置に係止するラッチ機構４と、ドア１を閉位置に閉じた状態にロックする鍵機構３とを備えている。
【００４３】
ラッチ機構４は、ドア１の戸先面１Ｘに出入り自在に配置されたラッチボルト４１と、ドア枠２の内側面２４に設けられて、ラッチボルト４１が挿入される係止穴４２と、ラッチボルト４１をドア枠２の係止穴４２に向かって突出させて、ドア１を閉位置に係止するシリンダーケース４０と、ラッチボルト４１と係止穴４２の係止状態を解除する取っ手７とを備えている。
【００４４】
ラッチボルト４１は、シリンダーケース４０に出入り自在に配置されており、ドア枠２の係止穴４２に対向して配置されている。リンダーケース４０は、ドア１内に水平姿勢に内蔵されて、戸先面１Ｘからラッチボルト４１を水平方向に突出させる。ラッチボルト４１は、バネなどの弾性体（図示せず）で弾性的に突出する方向に付勢されている。弾性的に突出されるラッチボルト４１は、ドア１を閉める状態で、ドア枠２の係止穴４２に挿入されて、ドア１を開かない係止状態とする。ラッチボルト４１は、ドア１に設けている取っ手７を操作して係止穴４２との係止状態が解除される。シリンダーケースは、図示しないが、両面に傾斜面を設けたラッチボルトの先端部を、シリンダーケースの外側開口部で回動させて、係止穴との係止状態を制御する構造とすることができる。このシリンダーケースは、ラッチボルトの先端部の回動を制御するロック機構を内蔵して、このロック機構を取っ手で操作して、ラッチボルトの先端部のロック状態を制御し、ラッチボルトと係止穴との係止状態を制御することができる。ただ、シリンダーケースは、ラッチボルトをドア内に引き込んで、ドアの係止状態を解除する構造とすることもできる。このシリンダーケースは、取っ手を操作してロッド状のラッチボルトを引き込み方向に移動させて、係止穴とラッチボルトとの係止状態を解除する。
【００４５】
取っ手７は、ドア１の戸先側の側縁部の中央部であって、屋外側と屋内側の両面に配置している。取っ手７は、玄関ドアを開閉するときに手で操作されて、ラッチボルト４１と係止穴４２との係止状態を解除する。この取っ手７には、レバーを引いたり押したりすることでレバーを傾動させて操作するタイプのものや、レバーや握り部を回動させて操作するタイプのもの等、種々のが使用できる。図に示す取っ手７は垂直方向に伸びるレバーで、このレバーを引いたり押したりすることで、ラッチボルト４１と係止穴４２との係止状態を解除する構造としている。
【００４６】
図の取っ手７は、ドア１の屋外側に配置している屋外側取っ手７Ａと、屋内側に配置している屋内側取っ手７Ｂとからなる。屋外側取っ手７Ａは、レバーを引くことでラッチボルト４１の係止状態を解除する構造とし、屋内側取っ手７Ｂは、レバーを押すことでラッチボルト４１の係止状態を解除する構造とすることができる。これらの取っ手７は、レバーを引いたり、または押したりすることで、このレバーを垂直面内又は水平面内で傾動させて、これに連結されたラッチボルト４１の係止状態を解除する。
【００４７】
鍵機構３は、ドア１の戸先面１Ｘに出入り自在に配置されたデッドボルト３１と、ドア枠２の内側面２４に設けられて、デッドボルト３１が挿入される鍵受け部３２と、デッドボルト３１をドア枠２の鍵受け部３２に向かって突出させて、ドア１を閉位置に閉じた状態にロックするシリンダーケース３０とを備えている。
【００４８】
デッドボルト３１は、シリンダーケース３０に出入り自在に配置されており、ドア枠２の鍵受け部３２に対向して配置されている。リンダーケース３０は、ドア１内に水平姿勢に内蔵されて、戸先面１Ｘからデッドボルト３１を出し入れさせる。デッドボルト３１は、金属製のロッドまたは金属板を連結したもので、水平方向に往復運動されて、鍵受け部３２に挿入され、また、鍵受け部３２から引き出される。ただ、デッドボルトは、フック形状の鎌錠とすることもできる。このデッドボルトは、回動されて鍵受け部に出し入れされる。
【００４９】
シリンダーケース３０は、デッドボルト３１を出し入れさせるために、対向する両面に鍵穴３３とサムターン３４とを連結している。鍵穴３３はドア１の屋外側に配置されており、差し込まれたキーで回動されて、デットボルト３１をロック状態と非ロック状態とに移動させる。サムターン３４はドア１の屋内側に配置されており、ツマミが回動されてデットボルト３１をロック状態と非ロック状態とに移動させる。図１、図２、及び図５に示すドア１は、鍵機構３を上下の２箇所に設けている。したがって、上下に２個のシリンダーケース３０を配置している。上下のシリンダーケース３０は、鍵穴３３とサムターン３４が取っ手７の上下に位置するように配置している。ただ、ドアに設ける鍵機構は、１つとすることもできる。また、図において上側に位置するシリンダーケース３０は、ラッチ機構４のシリンダーケース４０と一体構造としている。ただ、鍵機構のシリンダーケースとラッチ機構のシリンダーケースは別に設けることもできる。
【００５０】
鍵機構３のシリンダーケース３０は、図３、図７、及び図８に示すように、戸先側の縦枠１１Ａの内側に固定された固定プレート７０の内側に配置される。固定プレート７０は、図３と図８に示すように、金属板をコ字状に折曲加工したもので両側の側壁７０Ａの先端を戸先側の縦枠１１Ａの内側面に固定している。図に示す固定プレート７０は、鍵機構３のシリンダーケース３０を収納すると共に、上端部にはドアガード５を固定する構造としている。したがって、図の固定プレート７０は、上端部をドアガード５の固定位置まで延長する形状としている。固定プレート７０は、戸先側の縦枠１１Ａに連結するために、側壁７０Ａの先端縁に、上下方向に離して複数の係止フック７１を設けている。戸先側の縦枠１１Ａは、係止フック７１が挿入されるスリット７２を、係止フック７１に対向して設けている。各々のスリット７２は、上下に延びる係止フック７１を挿入できるように、上下方向に開口して設けている。この固定プレート７０は、係止フック７１をスリット７２に挿入すると共に、係止フック７１の係止溝７１Ａに縦枠１１の底板１１Ｘを嵌入して定位置に固定される。図に示す固定プレート７０は、一対の側壁７０Ａの先端縁の上下と中間に、それぞれ３個の係止フック７１を設けている。この固定プレート７０は、側壁７０Ａの先端の上下と中間を戸先側の縦枠１１Ａに連結するので、強固に固定できる特徴がある。ただ、固定プレートは、一対の側壁の上下の２箇所を戸先側の縦枠に連結することも、４箇所以上を連結することもできる。以上の固定プレートは、係止フックとスリットを介して係止構造で戸先側の縦枠に連結するので、簡単かつ速やかに縦枠の定位置に固定できる特徴がある。ただ、固定プレートは、ネジ止め等の方法で縦枠の定位置に固定することもできる。
【００５１】
さらに、図３と図７に示すドア１は、固定プレート７０と縦枠１１の間であって、屋外側の表面板１３に設けた目印８の内側に、切断具９０を案内するガイド溝７３を設けている。図に示す固定プレート７０は、側壁７０Ａの先端面であって、縦枠１１の底板１１Ｘとの対向部分に縦枠１１に沿う凹部７４を設けており、この凹部７４と縦枠１１とでスリット状のガイド溝７３を設けている。このように、ガイド溝７３をスリット状とする構造は、切断具９０で切断する場合に、係止フック７１との連結部７５のみを切断するので、簡単かつ短時間で切断できる特徴がある。さらに、図３と図８に示す固定プレート７０は、縦枠１１に連結する係止フック７１との連結部７５を内側に折曲加工して、外側に配置される屋外側の表面板１３の目印８である溝８Ａを案内する位置決め凹部７６を設けている。この構造は、目印８である溝８Ａの内側突出部を、正確に位置決めしながら屋外側の表面板１３をフレーム１０に固定できる。
【００５２】
固定プレート７０は、屋外側の表面板１３と屋内側の表面板１４を裏面から補強する。したがって、固定プレート７０は、屋外側の表面板１３と屋内側の表面板１４の内面に密着する幅、すなわちフレーム１０の幅に等しく、屋外側の表面板１３と屋内側の表面板１４の内面に接着して固定される。固定プレート７０は、広い面積で屋外側の表面板１３と屋内側の表面板１４の裏面に接着されて強固に固定される。固定プレート７０は、溶接などの方法で戸先側の縦枠１１Ａに固定されてドア１の内部に固定される。固定プレート７０は、ドア１の表面に配置される鍵穴３３とサムターン３４をシリンダーケース３０に連結するための貫通孔７７を設けている。さらに、図に示す固定プレート７０は、側壁７０Ａの上端部に、ドアガード５をドア１に固定する止ネジ５４をねじ込むネジ孔７８を設けている。ドアガード５の台座５２と屋内側の表面板１４を貫通してねじ込まれた止ネジ５４が固定プレート７０のネジ孔７８にねじ込まれて、ドアガード５はドア１に強固に固定される。以上の固定プレート７０は、鍵機構３のシリンダーケース３０の収納部とドアガード５の固定部とを一体的に構成している。ただ、固定プレートは、鍵機構のシリンダーケースを収納する固定プレートと、ドアガードを固定する固定プレートとに分割して、各々の固定プレートを縦枠に固定することもできる。
【００５３】
以上のドア１は、鍵機構３のシリンダーケース３０とドアガード５を、上下に離してドア１に固定している。図のドア１は、上側のシリンダーケース３０の上方に所定の間隔でドアガード５を固定している。このドア１は、ドアガード５と連結具６の連結状態を解除する位置から下方に向かってドア１を切断してデッドボルト３１も切断する。ただ、ドアは、図示しないが、シリンダーケースとドアガードを互いに接近して、たとえば、シリンダーケースとドアガードを一体的にドアに固定することもできる。このドアは、ドアガードと連結具の連結位置をデッドボルトの位置に接近できるので、切断具で切断する距離を短くして短時間でドアを切断でき、デッドボルトとドアガードの両方のロック状態を速やかに解除できる。
【００５４】
ドア枠２は、図３に示すように、蝶番９を介してドア１を開閉自在に連結している。図のドア枠２は、ドア１の戸先側に位置する戸先側の垂直枠２０Ａと、蝶番９側に位置する蝶番側の垂直枠２０Ｂと、両方の垂直枠２０を上端で連結している上側水平枠２１と、垂直枠２０を下端で連結している下側水平枠２２とからなる。両側の垂直枠２０と上側水平枠２１と下側水平枠２２は、鋼板等の金属板を折曲加工して製作される。上側水平枠２１は、両端を一対の垂直枠２０の上端に連結している。下側水平枠２２は、両端を一対の垂直枠２０の下端に連結している。このドア枠２は、一対の垂直枠２０と上側水平枠２１と下側水平枠２２とを長方形に連結している。この構造は、ドア枠２を製造工場で長方形に連結して、施工現場に運搬できる。ただ、ドア枠は、必ずしも下側水平枠を必要としない。縦枠と上側水平枠をコンクリートや壁等の建物躯体に連結して、縦枠の下端を床や土間に固定できるからである。
【００５５】
ドア枠２は、鋼板で製作される。鋼板製のドア枠２は、安価で強靭な構造にできる特長がある。ただ、ドア枠は、必ずしも鋼板で製作する必要はない。ドア枠は、ステンレス等の金属板を折曲加工して製作することもできる。ステンレス製のドア枠は、錆びない特長がある。
【００５６】
ドア枠２に連結されるドア１は、その戸先側に、防犯、及び目隠し用のカバープレート部１５を設けており、このカバープレート部１５の先端部をドア１の先端面よりも突出する形状としている。このため、戸先側の垂直枠２０Ａは、カバープレート部１５に対向する内側に段差面２３を設けている。さらに、戸先側の垂直枠２０Ａは、段差面２３の内側を直角に折曲して、ドア１の外周面に沿う内側面２４としている。ドア枠２の内側面２４は、ドア１の表面に向かって屋内側に突出する段差形状としている。段差部２５は、パッキン溝２６を設ける形状に金属板を折曲加工している。パッキン溝２６は、弾性変形するエアータイトパッキン２７を定位置に固定している。エアータイトパッキン２７は、閉じられたドア１の屋内側の表面に密着される。さらに、戸先側の垂直枠２０Ａは、屋内側の内周面２８に、ドアガードが連結される連結具６を固定している。
【００５７】
蝶番側の垂直枠２０Ｂは、内側を、ドア１の外周面に沿う内側面２４として、この内側面２４の屋内側を段差形状として、段差部２５にパッキン溝２６を設けている。パッキン溝２６にはエアータイトパッキン２７を固定して、閉められたドア１の屋内側の表面にエアータイトパッキン２７を密着させる形状としている。
【００５８】
さらに、上側水平枠２１と下側水平枠２２も、図４の断面図に示すように、蝶番側の垂直枠２０Ｂと同じように、内側を、ドア１の外周面に沿う内側面２４として、この内側面２４の屋内側を段差形状として、段差部２５にパッキン溝２６を設けている。パッキン溝２６には、エアータイトパッキン２７を固定している。
【符号の説明】
【００５９】
１…ドア                        １Ｘ…戸先面
２…ドア枠
３…鍵機構
４…ラッチ機構
５…ドアガード
６…連結具
７…取っ手                      ７Ａ…屋外側取っ手
７Ｂ…屋内側取っ手
８…目印                        ８Ａ…溝
９…蝶番
１０…フレーム
１１…縦枠                      １１Ａ…戸先側の縦枠
１１Ｂ…戸尻側の縦枠
１１Ｔ…突出部
１１Ｘ…底板
１１Ｙ…側壁
１１Ｙａ…側壁
１１Ｙｂ…側壁
１１Ｚ…開口部
１２…横枠                      １２Ａ…上枠
１２Ｂ…下枠
１３…屋外側の表面板
１４…屋内側の表面板
１５…カバープレート部
１６…側面プレート
１７…エッジ
２０…垂直枠                    ２０Ａ…戸先側の垂直枠
２０Ｂ…蝶番側の垂直枠
２１…上側水平枠
２２…下側水平枠
２３…段差面
２４…内側面
２５…段差部
２６…パッキン溝
２７…エアータイトパッキン
２８…内周面
３０…シリンダーケース
３１…デッドボルト
３２…鍵受け部
３３…鍵穴
３４…サムターン
４０…シリンダーケース
４１…ラッチボルト
４２…係止穴
５０…スリット
５１…幅広部
５２…台座
５３…回転軸
５４…止ネジ
６０…軸部
６１…頭部
６２…台座
７０…固定プレート              ７０Ａ…側壁
７１…係止フック                ７１Ａ…係止溝
７２…スリット
７３…ガイド溝
７４…凹部
７５…連結部
７６…位置決め凹部
７７…貫通孔
７８…ネジ孔
９０…切断具
【要約】
【課題】非常時に、屋外側の目印に沿ってドアを切断することで、デッドボルトとドアガードの両方でロックしているドアを簡単かつ容易に、しかも確実に開く。デッドボルトで切断して開いたドアの補修を簡単にする。
【解決手段】玄関ドアは、ドア枠２に設けている鍵受け部３２に向かって突出してドア１をロックするデッドボルト３１と、ドア枠２に固定している連結具６に脱着自在に連結されるドアガード５を有し、ドア１を閉めた状態で、デッドボルト３１とドアガード５を目隠しするカバープレート部１５を屋外側の表面に設けている。さらに、玄関ドアは、屋外側の表面に、屋外側から屋内側に切断されて、ドアガード５と連結具６の連結状態を解除し、かつ、デッドボルト３１の切断位置を示す目印８を設けている。
【選択図】図３【図１】
0004824131.tif 000002
【図２】
0004824131.tif 000003
【図３】
0004824131.tif 000004
【図４】
0004824131.tif 000005
【図５】
0004824131.tif 000006
【図６】
0004824131.tif 000007
【図７】
0004824131.tif 000008
【図８】
0004824131.tif 000009